(57)【要約】【課題】  天蓋を円筒容器に装備させる際に用いられる締付け装置において、円筒容器取扱い時の安全性を高めることと併せて、作業性や当該締付け装置の耐久性を高める。【解決手段】  円筒容器本体１の出入口を塞ぐ天蓋２と円筒容器本体１の口縁部１２との重なり箇所に嵌合される環状のバンド体５と、バンド体５の欠除箇所５１の片側及び両側に設けられたフランジと、ナット体８とを備える。ナット体８の軸方向長さを、ナット体８のねじ孔８１にねじ込んで締め付けられた締付けボルト６がナット体８から突出しない長さにまで延長してある。ナット体８自体や、ナット体８と円筒容器本体１との間に、作業服が引掛かるようなおそれのある凹所が形成されないように、そのナット体８の形状を定めてある。【選択図】        図１
2008308237.tif 000002
【特許請求の範囲】
【請求項１】
円筒容器本体の出入口を塞ぐ天蓋と上記出入口の口縁部との重なり箇所に嵌合される環状のバンド体と、このバンド体に形成された欠除箇所の片側及び他側にそれぞれ設けられたフランジと、それらのフランジのボルト挿通孔に挿通された締付けボルトがねじ込まれるねじ孔を備えたナット体とを有し、
上記ナット体の軸方向長さを、そのナット体のねじ孔にねじ込んで締め付けられた上記締付けボルトが当該ナット体から突出しない長さにまで延長してあると共に、そのナット体が、上記円筒容器本体との間で上記軸方向に窪んだ凹所を形成しない形状を有していることを特徴とする円筒容器天蓋締付け装置。
【請求項２】
上記ナット体が、上記バンド体の欠除箇所の他側に設けられたフランジと一体化されている請求項１に記載した円筒容器天蓋締付け装置。
【請求項３】
上記ナット体における円筒容器本体との対向面が、その円筒容器本体の外周面に沿う形状を有している請求項１又は請求項２に記載した円筒容器天蓋締付け装置。
【発明の詳細な説明】
【技術分野】
【０００１】
本発明は、ドラム缶に代表される円筒容器に装着した天蓋を締め付けることに用いられる円筒容器天蓋締付け装置に関する。
【背景技術】
【０００２】
円筒容器の一例であるドラム缶には２００Ｌ容器が一般的に用いられているけれども、ドラム缶と称される円筒容器には、２００Ｌ容器以外にも、２０Ｌ容器であるペール缶と呼ばれるもの、５０Ｌ容器や６０Ｌ容器などのオープンドラムと呼ばれるもの、１００Ｌ容器である１００Ｌ缶と呼ばれるものなどが含まれる。これらのドラム缶のうちのいずれかに用いられる天蓋締付け装置Ａの使用状態を図４に平面図で示してある。この天蓋締付け装置Ａが使用される円筒容器（たとえばドラム缶）は、有底円筒状の円筒容器本体１と、この円筒容器本体１の上端開口によって形成されている出入口を塞ぐ平面視円形の天蓋２とを備えている。これに対し、上記締付け装置Ａは、円環状のバンド体５と、このバンド体５に形成された欠除箇所５１の片側及び他側で各別にそのバンド体５に固着されてそのバンド体５の外側へ突出したフランジ部５２，５３と、それらのフランジ５２，５３のボルト挿通孔５２ａ，５３ａに挿通される締付けボルト６と、その締付けボルト６がねじ込まれるナット体７とを有している。
【０００３】
そして、上記締付け装置Ａの使用状態では、バンド体５が天蓋２と円筒容器本体１の出入口の口縁部との重なり箇所に嵌合されると共に、上記した２つのフランジ５２，５３のボルト挿通孔５２ａ，５３ａに挿通させてバンド体５に保持させた締付けボルト６をナット体７にねじ込んで締め付けてある。
【０００４】
この締付け装置Ａにおいて、従来は、ナット体７として、ボルトの相手方部材として汎用されている六角ナットが使用されていた。また、ナット体７に対する締付けボルト６のねじ込み代を十分に長く確保することの必要性から、締付けボルト６には、締め付け後にナット体７を貫通してそのそのナット体７の背部に突き出す長さが付与されていた。
【０００５】
一方、ナットにねじ込んだ締結用ボルトがそのナットから突出するような円筒容器天蓋締め輪が知られていた（たとえば、特許文献１参照）。
【０００６】
【特許文献１】特開２００５−１６２２１６号公報
【発明の開示】
【発明が解決しようとする課題】
【０００７】
しかしながら、図４を参照して説明したように、ナット体７にねじ込んで締め付けた締付けボルト６がそのナット体７の背部に突き出ていると、雄ねじを有する締付けボルト６が外部に露出し、しかも、締付けボルト６の先端部６１と円筒容器本体１との間に隙間が不可避的に生じてその隙間がナット体７の軸方向に凹んだ凹所９を形成する。
【０００８】
そして、そのような凹所９が形成されていると、人手によって円筒容器を転がして運搬するようなときに、作業者の作業服の裾などが締付けボルト６に引掛かったり作業者の手に締付けボルト６が突き当たったりする危険がある。また、フォークリフト輸送を行うときには、フォークが締付けボルト６を引掛けてその雄ねじを潰したり締付けボルト６を折り曲げてしまったりするおそれがある。これと同様の事態は、円筒容器同士が衝突したような場合にも起こり得る。以上説明した危険やおそれは、上掲の特許文献１によって提案されている円筒容器天蓋締め輪の使用時にも同様に存在している。
【０００９】
また、図４のものでは、ナット体７が締付けボルト６と共回りすることがあるために、締付けボルト６の締付けに際してナット体７をレンチなどの工具で共回りしないように保持しておかねばならないという煩わしさがあった。
【００１０】
本発明は以上の状況の下でなされたものであり、締付けボルトが締め付けられるナット体の形状などに工夫を講じて上記した危険やおそれの原因となっているところの凹所をなくすることにより、それらの危険やおそれの存在しない円筒容器天蓋締付け装置を提供するとこを目的とする。
【００１１】
また、本発明は、ナット体が締付けボルトと共回りすることのない円筒容器天蓋締付け装置を提供するとこを目的とする。
【課題を解決するための手段】
【００１２】
本発明に係る円筒容器天蓋締付け装置は、円筒容器本体の出入口を塞ぐ天蓋と上記出入口の口縁部との重なり箇所に嵌合される環状のバンド体と、このバンド体に形成された欠除箇所の片側及び他側にそれぞれ設けられたフランジと、それらのフランジのボルト挿通孔に挿通された締付けボルトがねじ込まれるねじ孔を備えたナット体とを有している。そして、上記ナット体の軸方向長さを、そのナット体のねじ孔にねじ込んで締め付けられた上記締付けボルトが当該ナット体から突出しない長さにまで延長してあると共に、そのナット体が、上記円筒容器本体との間で上記軸方向に窪んだ凹所を形成しない形状を有している。
【００１３】
この構成であると、締付けボルトがナット体を貫通してその背部に突き出たりすることがなく、また、ナット体自体も、円筒容器本体との間で上記軸方向に窪んだ凹所を形成することがない。そのため、作業服の裾などが締付けボルトやナット体に引掛かったり作業者の手に締付けボルトが突き当たったりする危険がなくなり、フォークリフト輸送を行うときでも、フォークが締付けボルトを引掛けてその雄ねじを潰したり締付けボルトを折り曲げてしまったりするおそれがなくなる。円筒容器同士が衝突したような場合でも、締付けボルトの雄ねじが潰れたり締付けボルトが曲がったりするおそれがない。
【００１４】
本発明では、上記ナット体が、上記バンド体の欠除箇所の他側に設けられたフランジと一体化されているものであってもよい。これによれば、ナット体に締付けボルトをねじ込んで締め付けるときにナット体が締付けボルトと共回りすることがない。
本発明では、上記ナット体における円筒容器本体との対向面が、その円筒容器本体の外周面に沿う形状を有していることが望ましい。これによると、締付けボルトをナット体に締め付けるときに、そのナット体の円筒容器本体との対向面が円筒容器本体に当接してナット体が円筒容器本体によってバックアップされるようになる。その結果、ナット体に締付けボルトをねじ込んで締め付けるときにナット体が締付けボルトと共回りすることがなくなるだけでなく、締付けボルトによる締付け状態が安定して天蓋が強固に円筒容器本体の出入口の口縁部に装着されるという利点がある。
【発明の効果】
【００１５】
本発明によると、ナット体の形状などに工夫を講じるだけで、人手によって円筒容器を転がして運搬するようなときに、作業者が作業服の裾を締付けボルトやナット体に引掛けたり作業者の手に締付けボルトが突き当たったりする危険がなくなるだけでなく、フォークリフト輸送を行うときにフォークが締付けボルトを引掛けてその雄ねじを潰したり締付けボルトを折り曲げてしまったりするおそれもなくなる。また、円筒容器同士が衝突した場合でも、締付けボルトの雄ねじが潰れたり締付けボルトが折り曲がったりするというおそれがなくなる。したがって、作業の安全性が向上し、併せて、耐久性に優れた円筒容器天蓋締付け装置を安価に提供することが可能になる。また、ナット体が締付けボルトと供回りすることをなくしてその締付け作業を容易に行うことができるようにもなる。
【発明を実施するための最良の形態】
【００１６】
図１は本発明の実施形態による円筒容器天蓋締付け装置Ａの使用状態を示した平面図、図２は図１の要部の拡大図、図３は図２のＩＩＩ−ＩＩＩ線に沿う部分の断面図である。
【００１７】
図３のように、天蓋２の外周部にはリング状の嵌合部２１が備わっていて、その嵌合部２１を、冒頭に掲げたドラム管などの円筒容器本体１の出入口の全周に亘ってリング状に形成された縁枠状の口縁部１２に載架して重ね合わせることにより、有底円筒状の円筒容器本体１の出入口が天蓋２によって塞がれる。そして、当該円筒容器天蓋締付け装置Ａは、円筒容器本体１の口縁部１２とその上に重ね合わされた天蓋２の嵌合部２１との重なり箇所でその天蓋２を脱落しないように円筒容器本体１に結合することに用いられる。
【００１８】
上記締付け装置Ａは、円環状のバンド体５と、ナット体８と、締付けボルト６とを有している。バンド体５はリング状に形成され、図３のように外側へ膨らみ出た反円弧状の断面形状を有しており、そのバンド体５が円筒容器本体１の口縁部１２と天蓋２の嵌合部２１との重なり箇所に外側から嵌め込まれている。バンド体５は、図１のようにその周方向の１箇所を欠除することによって拡縮径可能に形成されていて、その欠除箇所５１の片側と他側とにそれぞれフランジ５２，５３が固着されている。そして、片側のフランジ５２の側から片側及び他側のフランジ５２，５３のボルト挿通孔５２ａ，５３ａに締付けボルト６を挿通させて、その締付けボルト６をナット体８のねじ孔８１にねじ込んで締付けてある。この実施形態では、ナット体８を他側のフランジ５３と別体に構成してあるけれども、この点は、ナット体８を他側のフランジ５３と一体化しておいてもよい。
【００１９】
ナット体８は、図４を参照して説明した汎用のナット体７よりも軸方向長さが長く、形状についても汎用のナット体７に比べて大きい塊状部材によって形成されている。この点をさらに具体的に説明すると、ナット体８の軸方向長さを、そのナット体８のねじ孔８１にねじ込んで締め付けられる締付けボルト６が当該ナット体８から突出しない長さにまで延長してある。また、図３に示したように、そのナット体８における円筒容器本体１との対向面８２は、上記軸方向での全長部分及び縦方向全幅部分がその円筒容器本体１の外周面に沿う形状を有している。言い換えると、ナット体８の円筒容器本体１との対向面８２である内側面が、縦方向では平坦で、横方向では円筒容器本体１の外周面に沿う形状に曲がった湾曲面として形成されている。さらに、ナット体８の軸方向端面（締付けボルトのねじ込み方向側の端面）８３は、作業者の服などが引掛かりにくい形状、たとえば図１又は図２に例示したように湾曲した形状に形成されている。
【００２０】
以上の構成を備える上記締付け装置Ａにおいて、バンド体５を円筒容器本体１の口縁部１２と天蓋２の嵌合部２１との重なり箇所に外側から嵌め込んだ後、片側及び他側の各フランジ５２，５３のボルト挿通孔５２ａ，５３ａに締付けボルト６を遊嵌状に挿通させてナット８のねじ孔８１にねじ込んで締め付けることによりバンド体５を縮径させると、そのバンド体５が上記した円筒容器本体１の口縁部１２と天蓋２の嵌合部２１とを上下方向で締め付けるために、天蓋２が脱落しないように円筒容器本体１に強固に結合される。締付けボルト６の締付けに伴うバンド体５の縮径によって、フランジ５２の軸線がナット体８の軸線に対して傾斜するという事態が起こった場合には、そのような傾斜は、締付けボルト６がフランジ５２のボルト挿通孔５２ａに遊嵌状に挿通されていることによって無理なく吸収される。
【００２１】
締付けボルト６はその頭部６２をインパクトレンチなどで回転させることによってナット体８１に締め付けられ、その際に、ナット体８１は、その円筒容器本体１との対向面８２である内側面が円筒容器本体１の外周面に沿う形状を有しているために、締付けボルト６と共回りするという事態は起こり得ない。このことが、締付けボルト６の締付け作業性を高めることに役立つ。また、締付けボルト６を締め付けた後では、場合によって、ナット体８の内側面である上記対向面８２が図３のように円筒容器本体１に当接してナット体８が円筒容器本体１によってバックアップされるようになり、そのような状況が得られると、締付けボルト６による締付け状態が安定して天蓋２が強固に円筒容器本体の出入口の口縁部１２に装着されるという利点がある。
【００２２】
一方、締付けボルト６をナット体８に締め付けてバンド体５により天蓋２を円筒容器本体１に結合した後では、締付けボルト６による締付け箇所で図２のように締付けボルト６がナット体８のねじ孔８１内に完全に収容された状態となって、その締付けボルト６がナット体８の背部に突き出していない。しかも、ナット体８が円筒容器本体１との間で当該ナット体８のねじ孔８１の軸方向に窪んだ凹所を形成することがなく、ナット体８自体については、その端面８３がナット体８の円筒容器本体１との対向面８２を起点として締付けねじのゆるみ方向に湾曲しながら延び出ていて、作業服の裾が引掛かるような突起を形成していないために、当該円筒容器を人手により転がして運搬するようなときに、作業者の作業服の裾などが締付けボルト６やナット体８に引掛かったり作業者の手に締付けボルト６が突き当たったりする危険がなくなって作業の安全性が向上する。フォークリフト輸送を行うときでも、フォークが締付けボルト６を引掛けてその雄ねじを潰したり締付けボルト６を折り曲げてしまったりするおそれがなくなる。さらに、円筒容器同士が衝突した場合でも、締付けボルト６の雄ねじが潰れたり締付けボルト６が折り曲がったりするというおそれがなくなる。したがって、様々な起こり得る状況により、バンド体５が外れて天蓋２が脱落するという事態や、締付けボルト６が損傷して当該締付け装置Ａを再使用することができなくなる、といった状況が起こりにくくなってその締付け装置Ａの耐久性が向上する。
【００２３】
本発明において、ナット体８の形状は図例に限定されるものではなく、要するに、ドラ缶の取扱い中に作業服が引掛かったりするような凹所が形成されず、しかも、締付けボルト６がその背部に突き出さない形状であればよい。また、図例では、右利きの作業者にとって締付けボルト６の頭部６２を締め付けやすくするために、その締付けボルト６を円筒容器本体１に向かって右から左にねじ込むことのできる構成を採用しているけれども、この点は、図１に示したフランジ５２，５３とナット体８との左右の位置関係を逆の関係に変更しておくと、締付けボルト６を円筒容器本体１に向かって左から右にねじ込むことができるようになるために、左利きの作業者にとっての締付け作業性を高めることが可能である。
【図面の簡単な説明】
【００２４】
【図１】本発明の実施形態による円筒容器天蓋締付け装置の使用状態を示した平面図である。
【図２】図１の要部の拡大図である。
【図３】図２のＩＩＩ−ＩＩＩ線に沿う部分の断面図である。
【図４】従来の締付け装置を示す平面図である。
【符号の説明】
【００２５】
Ａ  円筒容器天蓋締付け装置
１  円筒容器本体
２  天蓋
５  バンド体
６  締付けボルト
８  ナット体
１２  口縁部
５１  バンド体の欠除箇所
５２，５３  フランジ
８１  ねじ孔
８２  ナット体における円筒容器本体との対向面（内側面）
８３  ナット体のおける締付けボルトのねじ込み方向側の端面
【図１】
2008308237.tif 000003
【図２】
2008308237.tif 000004
【図３】
2008308237.tif 000005
【図４】
2008308237.tif 000006